(57)【要約】【課題】アクチュエータの感度を向上させ、高倍速に対応可能な光ヘッド装置を提供する。【解決手段】この発明の光ヘッド装置は、絶縁性のシート体の両面または片面にフォーカス用コイル３１２とトラッキング用コイル３１３が一体的に形成されたフラットなコイル３１１を有する。【選択図】    図４
2004265518.tif 000002
【特許請求の範囲】
【請求項１】
情報を記録する情報記録媒体等の記録面に光を集光させる対物レンズと、
この対物レンズの光軸方向および上記情報記録媒体の上記記録面と平行な方向に移動可能に保持するレンズホルダと、
所定極性の磁界を提供可能な磁石と、
前記レンズホルダの所定位置に、シート媒体に金属箔または金属パターンからなる導体がコイル状に形成され、前記レンズホルダを少なくとも上記光軸方向および上記記録面と平行な方向のいずれかの方向に移動させるために、上記磁界に応じて力を発生する平面コイルと、
前記レンズホルダを所定方向に移動可能に支持する支持部材と、
を有することを特徴とする光ヘッド装置。
【請求項２】
前記平面コイルは、上記金属箔または金属パターンが形成されたシート媒体が複数積層されて形成されていることを特徴とする請求項１記載の光ヘッド装置。
【請求項３】
前記平面コイルは、上記金属箔または金属パターンが形成された所定形状のシート媒体が、折り畳まれて複数積層されて形成されていることを特徴とする請求項１記載の光ヘッド装置。
【請求項４】
前記平面コイルは、前記レンズホルダを少なくとも上記光軸方向に移動させるための第１の方向の推力を発生する第１のパターンのコイルと前記レンズホルダを少なくとも上記記録面と平行な方向に移動させるための上記第１の方向と直交する第２の方向の推力を発生する第２のパターンのコイルとを含むことを特徴とする請求項２または３記載の光ヘッド装置。
【請求項５】
前記平面コイルは、磁性体を間に挟んで２面以上設けられることを特徴とする請求項４記載の光ヘッド装置。
【請求項６】
前記平面コイルは、前記レンズホルダを、記録媒体の回転周期に基づく上記第１の方向の変位に対応して前記レンズホルダを上記第１の方向に移動させる第３の推力を発生する第３のパターンのコイルをさらに含むことを特徴とする請求項２または３記載の光ヘッド装置。
【請求項７】
情報を記録する情報記録媒体等の記録面に光を集光させる対物レンズと、この対物レンズの光軸方向および上記情報記録媒体の上記記録面と平行な方向に移動可能に保持するレンズホルダと、所定極性の磁界を提供可能な磁石と、前記レンズホルダの所定位置に、シート媒体に金属箔または金属パターンからなる導体がコイル状に形成され、前記レンズホルダを少なくとも上記光軸方向および上記記録面と平行な方向のいずれかの方向に移動させるために、上記磁界に応じて力を発生する平面コイルと、前記レンズホルダを所定方向に移動可能に支持する支持部材と、を有する光ヘッドと、
上記記録媒体で反射された反射光を検出して電気信号に変換する光検出器と、
前記光検出器により出力される電気信号から上記記録媒体に記録されている情報を再生する情報処理回路と、
を有することを特徴とする光ディスク装置。
【請求項８】
前記平面コイルは、上記金属箔または金属パターンが形成されたシート媒体が複数積層されて形成されていることを特徴とする請求項７記載の光ディスク装置。
【請求項９】
前記平面コイルは、上記金属箔または金属パターンが形成された所定形状のシート媒体が、折り畳まれて複数積層されて形成されていることを特徴とする請求項７記載の光ディスク装置。
【請求項１０】
前記平面コイルは、前記レンズホルダを少なくとも上記光軸方向に移動させるための第１の方向の推力を発生する第１のパターンのコイルと前記レンズホルダを少なくとも上記記録面と平行な方向に移動させるための上記第１の方向と直交する第２の方向の推力を発生する第２のパターンのコイルとを含むことを特徴とする請求項８または９記載の光ディスク装置。
【請求項１１】
前記平面コイルは、磁性体を間に挟んで２面以上設けられることを特徴とする請求項１０記載の光ディスク装置。
【発明の詳細な説明】
【０００１】
【発明の属する技術分野】
この発明は、情報記録媒体である光ディスクに情報を記録し、あるいは情報を再生するための光ヘッド装置ならびに光ディスク装置に関する。
【０００２】
【従来の技術】
近年、情報記録再生装置（光ディスク装置）に対して、８〜４８倍の高倍速で情報を記録可能な高倍速化や小型化の要請が著しく高まっている。これに伴い、光ディスクに情報を記録し、あるいは光ディスクから情報を再生する光ディスク装置に、厳しい設計条件が課せられている。
【０００３】
特に、アクチュエータに関しては、高速アクセスすなわち高い感度が求られている。アクチュエータの感度（ＡＣ感度）は、以下のように求められる。
【０００４】
ＡＣ感度  ＝  Ｆ／ｍ、  Ｆ  ＝  Ｂｉｌｎ
Ｆは動力、ｍはアクチュエータの質量であり、感度を向上させる方法として、磁束密度を向上させることと、最大電流を許容できるようにすること、有効範囲での巻き数を増やすことなどがある。
【０００５】
いうまでもなく、アクチュエータの質量を小さくすることにより、感度は向上する。しかし、コイルが移動されるＭＣ型アクチュエータにおいては、アクチュエータの質量はコイル質量が主であり、コイルの巻き数は感度の向上と反比例の関係にある。このため、コイルの軽量化が求められている。
【０００６】
なお、コイルを軽くするものとして、コイルがプリントされるガラス入りエポキシ基板を貼り合わせたコイルが知られている。
【０００７】
また、端子孔を有するシートコイルを用いて、端子孔と整合する端子より、コイルを積層する装置が知られている（特許文献１）。
【０００８】
【特許文献１】
特開平３−２８３４０４（第７図）
【０００９】
【発明が解決しようとする課題】
感度を向上させるために、コイルの有効巻き数を増やす場合、空芯コイルや胴巻きによる方法がある。この場合、コイルの線形を細くすると巻きつけの引張り力によって、特に曲げ部のコイル線が細くなり、コイル線に損失が生じ、耐電流値が小さくなるという問題がある。なお、絶縁のための被膜が必要で、これが体積を増やす原因ともなっていることは言うまでもない。
【００１０】
ガラス入りエポキシ基板を用いて積層されるコイルは、基板の厚みにより、巻き線間の磁気ギャップが大きくなる。また、両面にコイルがプリントされたガラス入りエポキシ基板は、巻き数を増やす効果は少ない。従って、両面にコイルがプリントされたガラス入りエポキシ基板を用いて多層化構造をとったとしても、コイルの巻き数を増やす効果が少なく、反面、ＡＣ感度が通常以下になる問題がある。
【００１１】
なお、ガラス入りエポキシ基板より薄い基板を用いる場合、剛性が不足して、振動の不要モードが発生するという別の問題がある。
【００１２】
本発明の目的は、薄く軽いコイルの成形を用いて、アクチュエータの感度を向上させ、高倍速に対応可能な光ヘッド装置を提供することである。
【００１３】
【課題を解決するための手段】
この発明は、上記問題点に基づきなされたもので、情報を記録する情報記録媒体等の記録面に光を集光させる対物レンズと、この対物レンズの光軸方向および上記情報記録媒体の上記記録面と平行な方向に移動可能に保持するレンズホルダと、所定極性の磁界を提供可能な磁石と、前記レンズホルダの所定位置に、シート媒体に金属箔または金属パターンからなる導体がコイル状に形成され、前記レンズホルダを少なくとも上記光軸方向および上記記録面と平行な方向のいずれかの方向に移動させるために、上記磁界に応じて力を発生する平面コイルと、前記レンズホルダを所定方向に移動可能に支持する支持部材と、を有することを特徴とする光ヘッド装置を提供するものである。
【００１４】
また、この発明は、情報を記録する情報記録媒体等の記録面に光を集光させる対物レンズと、この対物レンズの光軸方向および上記情報記録媒体の上記記録面と平行な方向に移動可能に保持するレンズホルダと、所定極性の磁界を提供可能な磁石と、前記レンズホルダの所定位置に、シート媒体に金属箔または金属パターンからなる導体がコイル状に形成され、前記レンズホルダを少なくとも上記光軸方向および上記記録面と平行な方向のいずれかの方向に移動させるために、上記磁界に応じて力を発生する平面コイルと、前記レンズホルダを所定方向に移動可能に支持する支持部材と、を有する光ヘッドと、上記記録媒体で反射された反射光を検出して電気信号に変換する光検出器と、前記光検出器により出力される電気信号から上記記録媒体に記録されている情報を再生する情報処理回路と、を有することを特徴とする光ディスク装置を提供するものである。
【００１５】
【発明の実施の形態】
以下、図面を参照して、この発明の実施の形態について詳細に説明する。
【００１６】
図１は、この発明の実施の形態である光ピックアップを含む光ディスク装置の一例を説明する概略図である。
【００１７】
図１に示す光ディスク装置１０１は、ハウジング１１１と、ハウジング１１１に対してイジェクト動作（矢印Ａ方向への移動）またはローディング動作（矢印Ａ´方向への移動）が可能に形成されたテーブルユニット１１２を有している。
【００１８】
テーブルユニット１１２の概ね中央には、光ディスク（情報記録媒体）Ｄを、所定の回転数で回転させるターンテーブル１１３が設けられている。なお、テーブルユニット１１２がイジェクトされている状態で、光ディスクが装填されていない場合には、光ピックアップ１２１の一部および光ピックアップ１２１に組み込まれている対物レンズ１２２が露出されて見える。
【００１９】
図２は、図１に示した光ディスク装置１０１の光ピックアップ装置１２１の要素を抜き出した状態で、光ピックアップ装置の動作原理を説明する概略図である。
【００２０】
図２に示されるように、光ピックアップ装置１２１は、光ビームすなわちレーザ光を光ディスクＤの記録面に集光するとともに、光ディスクＤで反射されたレーザ光（以下反射レーザ光と呼称する）を取り込む対物レンズ１２２を有する。
【００２１】
対物レンズ１２２は、光ディスクＤの記録面と直交する（フォーカス）方向ならびに記録面に設けられている案内溝あるいは記録マーク列と直交する（トラッキング）方向に、後述するアクチュエータの位置の変化により、任意に移動可能である。
【００２２】
対物レンズ１２２の光ディスクＤと逆の側の所定位置には、対物レンズ１２２を通って光ディスクＤに向けられるレーザ光と光ディスクＤからの反射レーザ光の所定の光学特性を与えるホログラム素子１２３が設けられている。
【００２３】
ダイクロイックフィルター１２３の手前すなわち対物レンズ１２２から離れる側の所定の位置には、光ディスクＤの記録面と概ね平行に案内されるレーザ光を対物レンズ１２２に向けて反射するプリズムミラー１２４が設けられている。
【００２４】
光ディスクＤの記録面と概ね平行であってプリズムミラー１２４にレーザ光を入射可能な位置には、例えば赤色の波長のレーザ光を出射する第１のレーザ素子１２５が設けられている。なお、第１のレーザ素子１２５は、例えばＤＶＤ規格の光ディスクからの情報の再生およびＣＤ系ならびにＤＶＤ規格の光ディスクへの情報の書き込みに利用される。
【００２５】
第１のレーザ素子１２５とプリズムミラー１２４との間には、レーザ素子１２５の側から順に、回折格子と無偏光ホログラムが一体に形成されている受光特性設定素子１２６、ダイクロイックプリズム１２７、およびコリメートレンズ１２８が設けられている。なお、第１のレーザ素子１２５が設けられる位置に対して所定の条件を満たす位置には、光ディスクＤからの反射レーザ光を検出する第１の光検出器１２９が位置されている。この第１の光検出器１２９には、受光特性設定素子１２６により所定の回折が与えられた反射レーザ光が入射される。
【００２６】
なお、第１のレーザ素子１２５、受光特性設定素子１２６および第１の光検出器１２９は、ＤＶＤ向け発光／受光ユニット（ＤＶＤ−ＩＯＵ）１３０として、一体化されている。
【００２７】
ダイクロイックプリズム１２７による反射によりプリズムミラー１２４に向けてレーザ光を入射可能な位置には、例えば近赤外域の波長のレーザ光を出射する第２のレーザ素子１３１が設けられている。なお、第２のレーザ素子１３１は、例えばＣＤ系の光ディスクからの情報再生に利用される。
【００２８】
第２のレーザ素子１３１とダイクロイックプリズム１２７との間の所定の位置には、第２のレーザ素子１３１から放射されるレーザ光に光ディスクＤへの情報の記録に適した特性を与えるＦＭホログラム素子１３２が位置されている。なお、ＦＭホログラム素子１３２には、光ディスクＤからの反射レーザ光に所定の受光特性を与える機能も与えられている。
【００２９】
第２のレーザ素子１３１が設けられる位置に対して所定の条件を満たす位置には、光ディスクＤからの反射レーザ光を検出する第２の光検出器１３３が設けられている。この第２の光検出器１３３には、ＦＭホログラム素子１３２により所定の回折が与えられた反射レーザ光が入射される。なお、第２のレーザ素子１３１、ＦＭホログラム素子１３２および第２の光検出器１３３は、ＣＤ向け発光／受光ユニット（ＣＤ−ＩＯＵ）１３５として、一体化されている。
【００３０】
図２に示した光ピックアップ装置１２１においては、ＤＶＤ系光ディスクから情報を記録する場合、第１のレーザ素子１２５から出力された例えば６６０ｎｍの波長のレーザ光Ｌａは、受光特性設定素子１２６により所定の波面特性が与えられ、ダイクロイックプリズム１２７に入射される。
【００３１】
ダイクロイックプリズム１２７に入射されたレーザ光Ｌａは、ダイクロイックプリズム１２７を透過し、コリメートレンズ１２８でコリメートされ、プリズムミラー１２４により対物レンズ１２２に向けて進行方向が折り曲げられる。
【００３２】
プリズムミラー１２４で対物レンズ１２２に向けられたレーザ光Ｌａは、ダイクロイックフィルター１２３を通って、光ディスクＤの記録面に集光される。
【００３３】
光ディスクＤの記録面に集光されたレーザ光Ｌａは、図３を用いて後段に説明する信号処理系において記録すべき情報に応じて光強度が変調されるので、時間あたりのエネルギーが光ディスクＤの記録膜の相を変化できるエネルギーである場合に、記録膜に、記録マークすなわちピットを形成する。
【００３４】
光ディスクＤの記録面で反射された反射レーザ光Ｌａ´は、ダイクロイックフィルター１２３を通ってプリズムミラー１２４に戻され、再び光ディスクＤの記録面と概ね平行に進行方向が折り曲げられる。
【００３５】
プリズムミラー１２４で折り曲げられた反射レーザ光Ｌａ´は、コリメートレンズ１２８に入射され、ダイクロイックプリズム１２７に案内される。
【００３６】
ダイクロイックミラー１２７に戻された反射レーザ光Ｌａ´は、そのままダイクロイックミラー１２７を通過し、受光特性設定素子１２６により第１の光検出器１２９に向けられる。
【００３７】
第１の光検出器１２９に入射された反射レーザ光Ｌａ´の一部は、図３に示す信号処理系において、フォーカスエラー信号およびトラッキングエラー信号の生成に利用される。すなわち、対物レンズ１２２は、光ディスクＤの記録面にオンフォーカスとなる位置にフォーカスロックされるとともに、同記録面に予め形成されているトラックまたは情報ピットのピット列の中心とレーザ光の中心が一致するよう、トラッキングが制御される。
【００３８】
また、ＤＶＤ規格の光ディスクから情報が再生される場合には、上述した情報の記憶と同様にして光ディスクＤの記録面に集光された光ビームＬａは、記録面に記録されている記録マーク（ピット列）に従って強度が変化されて光ディスクＤから反射される。
【００３９】
光ディスクＤの記録面で反射された反射レーザ光Ｌａ´は、ダイクロイックフィルター１２３を通ってプリズムミラー１２４に戻され、再び光ディスクＤの記録面と概ね平行に進行方向が折り曲げられる。
【００４０】
プリズムミラー１２４で折り曲げられた反射レーザ光Ｌａ´は、コリメートレンズ１２８に入射され、ダイクロイックプリズム１２７に案内される。
【００４１】
ダイクロイックミラー１２７に戻された反射レーザ光Ｌａ´は、そのままダイクロイックミラー１２７を通過し、受光特性設定素子１２６により第１の光検出器１２９に向けられる。
【００４２】
第１の光検出器１２５に入射された反射レーザ光Ｌａ´の一部は、図３に示す説明する信号処理系において、第１の光検出器１２５の出力を加算して得られる再生信号に対応する信号として、外部装置あるいは一時記憶装置に出力される。
【００４３】
一方、ＣＤ規格の光ディスクに情報を再生する場合には、第２のレーザ素子１３１から出力された例えば７８０ｎｍの波長のレーザ光Ｌｂは、ＦＭホログラム素子１３２により所定の波面特性が与えられ、ダイクロイックプリズム１２７に入射される。
【００４４】
ダイクロイックプリズム１２７に入射されたレーザ光Ｌｂは、ダイクロイックプリズム１２７で反射され、コリメートレンズ１２８に案内される。
【００４５】
コリメートレンズ１２８に案内されたレーザ光Ｌｂは、コリメートレンズ１２８によりコリメートされ、プリズムミラー１２４により対物レンズ１２２に向けて進行方向が折り曲げられる。
【００４６】
プリズムミラー１２４で対物レンズ１２２に向けられたレーザ光Ｌｂは、ダイクロイックフィルター１２３を通って、光ディスクＤの記録面に集光される。
【００４７】
光ディスクＤの記録面で反射された反射レーザ光Ｌｂ´は、ダイクロイックフィルター１２３を通ってプリズムミラー１２４に戻され、再び光ディスクＤの記録面と概ね平行に進行方向が折り曲げられ、コリメートレンズ１２８を通って、ダイクロイックプリズム１２７に戻される。
【００４８】
ダイクロイックミラー１２７に戻された反射レーザ光Ｌｂ´は、ダイクロイックミラー１２７で反射され、ＦＭホログラム素子１３２により、第２の光検出器１３３に向けられる。
【００４９】
これにより、第２の光検出器１３３に、光ディスクＤに記録されている情報に応じて強度が変化されて戻された反射レーザ光Ｌｂ´が入射される。
【００５０】
以下、第２の光検出器１３３により反射レーザ光Ｌｂ´が光電変換され、その出力が図３を用いて後段に説明する信号処理系により処理されて、光ディスクＤに記録されている情報に対応する信号として、外部装置あるいは一時記憶装置に出力される。
【００５１】
図３は、図１および図２により説明した光ディスク装置の信号処理系の一例を説明する概略図である。なお、図３においては、ＣＤ系光ディスクからの信号の再生（ダイクロイックプリズムを反射するレーザ光）については省略し、第１の光検出器の出力信号すなわちＤＶＤ規格光ディスクからの信号再生、フォーカス制御およびトラッキング制御を中心に説明する。
【００５２】
第１の光検出器１２９は、第１ないし第４の領域フォトダイオード１２９Ａ，１２９Ｂ，１２９Ｃおよび１２９Ｄを含む。それぞれのフォトダイオードの出力Ａ，Ｂ，ＣおよびＤは、それぞれ、第１ないし第４の増幅器２２１ａ，２２１ｂ，２２１ｃおよび２２１ｄにより、所定のレベルまで増幅される。
【００５３】
各増幅器２２１ａ〜２２１ｄから出力Ａ〜Ｄは、ＡとＢが、第１の加算器２２２ａにより加算され、ＣとＤが、第２の加算器２２２ｂにより加算される。
【００５４】
加算器２２２ａおよび２２２ｂの出力は、加算器２２３において「（Ａ＋Ｂ）に（Ｃ＋Ｄ）が符号を反転して加算」される（引き算される）。
【００５５】
加算器２２３による加算（引き算）の結果は、対物レンズ１２２の位置を、光ディスクＤの記録面に予め形成されている図示しないトラックまたは記録情報である図示しないピット列と対物レンズ１２２を介して集束されるレーザ光が集束される距離である焦点距離に一致させるため、対物レンズ１２２を、対物レンズを通る光軸方向の所定の位置に移動させるために利用されるフォーカスエラー信号として、フォーカス制御回路２３１に供給される。
【００５６】
対物レンズ１２２は、フォーカスエラー信号に基づいて、フォーカス制御回路２３１からフォーカス用コイル３１２に供給されるフォーカス制御電流により生じる推力によりレンズホルダ３１０が所定方向に移動されることで、光ディスクＤの記録面の所定のトラックもしくはピット列にオン−フォーカス状態に維持される。
【００５７】
加算器２２４は（Ａ＋Ｃ）を生成し、加算器２２５は（Ｂ＋Ｄ）を生成する。両加算器の出力すなわち（Ａ＋Ｃ）と（Ｂ＋Ｄ）は、位相差検出器２３２に入力される。位相差検出器２３２は、対物レンズ１２２がレンズシフトされている場合に、正確なトラッキングエラー信号を得るために有益である。
【００５８】
加算器２２６により、（Ａ＋Ｂ）と（Ｃ＋Ｄ）の和が求められ、対物レンズ１２２の位置を、光ディスクＤの記録面に予め形成されている図示しないトラックまたは記録情報である図示しないピット列の中心に一致させるため、対物レンズ１２２を、対物レンズを光ディスクＤの記録面と平行な方向に移動させるために利用されるトラッキングエラー信号として、トラッキング制御回路２３３に供給される。
【００５９】
対物レンズ１２２は、トラッキングエラー信号に基づくトラッキング制御回路２３３からのトラッキング用コイル３１３に供給されるトラッキング制御により生じる推力によりレンズホルダ３１０が所定方向に移動されることで、光ディスクＤの記録面の所定のトラックもしくはピット列にオン−トラック状態に維持される。
【００６０】
なお、位相差検出器２３２の出力に応じて、対物レンズ１２２がレンズシフトされるので、対物レンズ１２２により集束されるレーザ光の中心を、現在のトラックの前後の所定トラック分だけ移動される。
【００６１】
（Ａ＋Ｃ）と（Ｂ＋Ｄ）は、加算器２２７によりさらに加算され（Ａ＋Ｂ＋Ｃ＋Ｄ）信号すなわち再生信号に変換され、バッファメモリ２３４に入力される。
【００６２】
なお、ＡＰＣ回路２３５には、第１のレーザ素子１２５から出射されたレーザ光の戻り光の強度が入力される。これにより、記録用データメモリ２３８に記憶されている記録データに基づいて第１のレーザ素子１２５から出射される記録用レーザ光の強度が安定化される。
【００６３】
このような信号検出系を有する光ディスク装置１０１においては、光ディスクＤがターンテーブル１１３にセットされ、ＣＰＵ２３６の制御により所定のルーチンが起動されると、レーザ駆動回路２３７の制御により第１のレーザ素子１２５から再生用のレーザビームが光ディスクＤの記録面に照射される。
【００６４】
以下、第１のレーザ素子１２５から再生用のレーザビームが継続して出射され、詳細な説明を省略するが、信号再生動作が開始される。
【００６５】
図４は、図１ないし図３に光ディスク装置に組み込まれる光ヘッド装置の一例を説明する概略図である。
【００６６】
図４に示されるように、光ピックアップ装置１５０は、開口部１５０ａを有するアクチュエータ１６０の概ね中央に、所定の厚さの絶縁性のシートまたはフィルムに１６１の両面または片面に金属箔あるいはプリントパターン等によりフォーカス用コイル１６２とトラッキング用コイル１６３とが一体的に形成されたコイル体１６１を有している。なお、コイル体１６１は、コイルが形成された複数のシートが複数枚積層されても良い。また、コイル体１６１の任意のシート間に、板状の磁性体（１６４）が挟まれていてもよい。
【００６７】
光ピックアップ装置１５０は、アクチュエータ３１０のフォーカス用コイル１６２およびトラッキング用コイル１６３に対して所定の磁界を提供する第１および第２のマグネット１８１，１８２を有するアクチュエータベース１８０を有する。
【００６８】
アクチュエータ１６０は、アクチュエータベース１８０の所定の位置に設けられている４本のワイヤ部材（弾性部材）３２３Ａ，３２３Ｂ，３２４Ａ，３２４Ｂを介して、開口部３１０ａにより定義される空間内を任意の方向に移動可能に支持されている。
【００６９】
フォーカス用コイル１６２，トラッキング用コイル１６３およびアクチュエータ３１０は、接続端子Ｐ，Ｑを介して図３で説明したとおりフォーカスエラー信号およびトラッキングエラー信号に基づく電流が供給可能に、形成されている。両コイル１６２，１６３には、第１および第２のマグネット１８１，１８２から所定の極性の磁束が提供される。従って、フォーカスエラー信号に基づく電流が供給されると、フォーカス用コイル１６２は、フォーカス方向の推力を発生する。また、フォーカスエラー信号に基づく電流が供給されると、トラッキング用コイル１６３は、トラッキング方向の推力を発生する。
【００７０】
図５は、図４を用いて説明した光ヘッド装置に適用されるコイルの一例を説明する概略図である。
【００７１】
図５に示されるように、コイル体４００は、複数のパターンコイルが所定の方法で接続されている。例えば所定の厚さの平面基板に形成されるパターンコイル４１０，４２０，４３０，４４０および４５０が所定の位置に配置される。
【００７２】
コイル４１０，４２０，４３０，４４０および４５０は、所定の方向を有する渦巻き形状を有し、交互に導線の渦巻き形状が逆向きに配置される。例えばコイル４１０，４３０および４５０は、外周から内周に向かって左回りに、コイル４２０，４４０は、外周から内周に向かって右回りに形成される。
【００７３】
コイル４２０は、中央でコイル４１０と、一端でコイル４３０と、接続される。さらに、コイル４４０は、中央でコイル４３０と、一端でコイル４５０と、接続される。コイル４１０，４５０の一端は、コイル体４００の入出力端子として利用される。
【００７４】
コイルパターン４１０，４２０，４３０，４４０および４５０は、中央部（スルーホール）を用いて整合されることにより、所定の配置で重なり合う。重なり合った状態で、外力が加わることにより、向かい合う面は接触される。接触される両面は、所定の接着方法（例えば接着材を用いて）接着可能である。
【００７５】
このとき、コイル間の導線において、導通を防ぐため、表面が絶縁されたコイルが利用される。なお、絶縁性を有する接着材を用いて接着することもできる。
【００７６】
所定の電流、例えばコイル４１０の一端にプラス電流、コイル４５０にマイナス電流が供給さえると、コイル４１０−４５０の順に導通する。図５に示されるとおり、接触する部分において、同じ方向に電流が流れる。この構成により、コイルに電流が供給されたとき、形成される駆動力を打ち消し合う力を抑えることができる。
【００７７】
また、この構成のコイルを有するシートの積層としては、他の例も組み合わせも考えられる。例えば、コイル４１０と４２０、および４３０と４４０が両面に配置されるシートを用意し、隣り合うコイル４２０と４３０とが向かい合うように、折り畳まれることにより、図５に示す構成の積層コイルが形成可能である。
【００７８】
図６（ａ），６（ｂ）は、図４を用いて説明した光ヘッド装置に適用されるコイルの他の一例を説明する概略図である。
【００７９】
図６（ａ）に示されるように、平面シート５０１には、所定の位置にプリントされるコイル５１０，５２０，５３０および５４０が形成される。
【００８０】
コイル５１０，５２０，５３０および５４０は、同じ方向を有する渦巻き形状を有し、例えば、外周から内周に向かって右回りに形成される。
【００８１】
図６（ｂ）に示されるように、シート５０１は、点線５Ｘで折り畳まれ、平行方向に隣り合う２つのコイル、例えばコイル５１０と５２０、および、５３０と５４０は中央部で接続される。シート５０１は、折り畳まれた状態で、所定の外力が加わることにより、向かい合う面が接触される。なお、接触する面の間に接着材等が配置されてもよい。コイル体５０２は、２層のコイル面で構成され、それぞれ直列に接続されるコイルを構成できる。
【００８２】
入出力端子であるコイル５１０，５４０の一端に、所定の電流が供給さえると、コイル５１０−５４０の順に、あるいは逆順に、導通する。図５（ｂ）に示されるとおり、接触する部分において、同じ方向に電流が流れる。
【００８３】
さらに、シート５０１は、コイル５２０，５３０が向かい合うようにして、点線５Ｙで折り畳まれ、接触する。よって、４層のコイル面で構成され、それぞれ直列に接続されるコイル体が形成される。なお、このコイル体は、接触する部分において、同じ方向に電流が流れる。
【００８４】
図７は、図４を用いて説明した光ヘッド装置に適用されるコイルの他の一例を説明する概略図である。
【００８５】
図７に示されるように、シート６００には、＋状に配置されるプリントコイル６１０，６２０，６３０，６４０および６５０が形成される。中央に位置するコイル６１０は、所定の方向を有する渦巻き形状を有し、例えば外周から内周に向かって左回りに形成される。
【００８６】
コイル６１０の下方に配置されるコイル６２０は、点線６Ｕで折り畳まれる。折り畳まれた状態で、所定の外力が加わることにより、コイル６１０と接触する。コイル６２０は、接触するコイル６１０と同じ方向の渦巻き形状を有し、例えば、外周から内周に向かって左回りに形成される。
【００８７】
また、コイル６２０の上には、６３０，６４０，６５０が、順にそれぞれ点線６Ｖ，６Ｘ，６Ｙで、コイル６１０の上に折り畳まれ、それぞれの面において接触する。コイル６２０と６３０，および６４０と６５０はそれぞれ中央で接続され、６３０と６４０は一端で接続される。
【００８８】
積み重ね方向で接しているコイルは、それぞれ、逆方向の渦巻き形状を有している。
【００８９】
入出力端子であるコイル６５０，６２０（コイル６２０とコイル６０１が一端で接続される際は、コイル６１０）の一端に、所定の電流が供給される。コイル６２０（６１０）−６５０の順に、あるいは逆順に、導通されることにより、接触する部分においては同じ方向に電流が流れる。
【００９０】
図８は、図４を用いて説明した光ヘッド装置に適用されるコイルの他の一例を説明する概略図である。
【００９１】
図８に示されるとおり、シート７００には、所定の位置にプリントされるコイル７１０−７１２が、紙面において横方向に３行で、形成される。上の行と下の行のコイルが、お互いは切り離され、中央（２行目）に配置されるコイルとはつながるように、シート７００は形成される。
【００９２】
中央（２行目）に配置されるコイル７０３，７０４，７０９および７１０はそれぞれ、隣り合うコイルと交互に、中央で接続される。コイル７０３，７０４，７０９および７１０は、同じ方向の渦巻き形状を有し、例えば外周から内周に向かって左回りに形成される。
【００９３】
中央に配置されるコイル７０３の上と、一端で接続されるコイル７０２とが、点線７Ｕで折り畳まれる。折り畳まれた状態で、所定の外力が加わることによりコイル７０３と７０２は接触する。以下同様に、コイル７０２の上には、点線７Ｖで折り畳まれたコイル７０１が接触する。なお、コイル７０１と７０２は中央で接続される。点線７Ｖで折り畳まれたコイル７０１が接触する。なお、コイル７０１と７０２は中央で接続される。
【００９４】
同様にして、中央に配置される他のコイル７０４，７０９および７１０は、一端が接続されるコイル７０５，７０８および７１１と、それぞれ接触する。また、コイル７０５，７０８および７１１は、中央で接続されるコイル７０６，７０７および７１２と、それぞれ接触する。
【００９５】
コイル７０１，７０２が接触するコイル７０３は、コイル７０４が点線７Ｗで折り畳まれることで、中央で接続され、接触する。また、コイル７０９は、中央が接続されるコイル７１０と接触する。
【００９６】
よって、コイル７０１−７０６を含み、コイル７０１，７０６に入出力端子が設けられるコイル体と、コイル７０７−７０１２を含み、コイル７０７，７０１２に入出力端子が設けられるコイル体と、が形成される。
【００９７】
さらに、点線７Ｘで折り畳まれることで、コイル７０６は、一端で接続されるコイル７０７と接触する。よって、コイル７０１−７１２を含み、コイル７０１，７１２に入出力端子が設けられるコイル体が形成される。
【００９８】
入出力端子７０１，７１２の一端に、所定の電流が供給さえると、コイル７０１−７１２の順に導通する。この構成により、接触する部分において、同じ方向に電流が流れる。また、同時に多くのコイルを積層できる。
【００９９】
図９は、図４を用いて説明した光ヘッド装置に適用されるコイルの他の一例を説明する概略図である。
【０１００】
図９に示されるように、帯び状のシート８００には、一列に配置されるプリントコイル８１０，８２０，８３０および８４０が形成される。コイル８１０，８２０，８３０および８４０は、同じ方向を有する渦巻き形状を有し、例えば、外周から内周に向かって左回りに形成される。
【０１０１】
コイル８１０は、点線８Ｘで折り畳まれることにより、中央で接続されるコイル８２０と接触する。また、コイル８３０は、中央で接続されるコイル８４０と接触する。コイル８２０は、点線８Ｙで折り畳まれることにより、一端で接続されるコイル８３０と接触する。
【０１０２】
この構成により、任意の数のコイル面を積層することができる。なお、コイル体の接触する部分において、同じ方向に電流が流れる。
【０１０３】
図１０は、図４を用いて説明した光ヘッド装置に適用されるコイルの他の一例を説明する概略図である。
【０１０４】
図１０に示されるように、シート９００には、所定パターンを有するコイル体９１０−９４０が連続して配置される。
【０１０５】
コイル体９１０−９４０は、同じ方向の渦巻き形状を有する対角するコイルを有し、隣り合うコイルは、それぞれ逆方向の渦巻き形状を有する。例えば９１０は、外周から内周に向かって右回りに形成されるコイル９１Ｈ，９１Ｋと、逆方向の渦巻き形状を有する９１Ｉ，９１Ｋとが形成される。
【０１０６】
また、コイル体９２０には、隣り合うコイル体９１０の鏡像であるコイルが、配置される。よって、例えば、コイル９２Ｈ，９２Ｋは、外周から内周に向かって左回りに形成され、コイル９２Ｉ，９２Ｋは、逆方向の渦巻き形状に形成される。
【０１０７】
さらに、コイル体９３０，９４０は、コイル体９１０，９２０の鏡像となるコイルが、配置される。このため、後に説明するように、折り畳まれた状態においては、逆方向の渦巻き形状を有するコイルが、それぞれ配置されている。
【０１０８】
コイル体９２０は、コイル体９１０に配置されるコイル９１Ｈ，９１Ｉ，９１Ｊおよび９１Ｋと、アルファベットＨ−Ｊが一致するコイルがそれぞれコイルの中央で接続される。
【０１０９】
コイル体９２０は、点線９Ｘで折り畳まれる。折り畳まれた状態で、所定の外力が加わることにより、コイル体９１０と接触する。
【０１１０】
同様にして、コイル体９３０は、点線９Ｚで折り畳まれる。コイル体９３０は、コイル体９４０と接触する。アルファベットＨ−Ｊが一致するコイルは、それぞれ中央で接続されている。
【０１１１】
コイル体９２０のコイル９２Ｈ，９２Ｉ，９２Ｊおよび９２Ｋは、コイル体９３０のコイル９３Ｈ，９３Ｉ，９３Ｊおよび９３Ｋと、それぞれ一端で接続可能である。コイル体９２０は、点線９ｙで折り畳まれ、接触する。
【０１１２】
この構成により、上に説明したとおり、コイル体９２０，９３０に配置されるコイルが接触された場合は、コイル９１０および９４０に入出力端子を有するコイル体が形成される。この４層のシートが積層されるコイル体は、４層のコイルを４つ（もしくは２層のコイルを８つ）構成できる。
【０１１３】
入出力端子に、所定の電流が供給されると、コイル体９１０−９４０の順に、あるいはその逆順に、導通する。なお、接触する部分において、同じ方向に電流が流れる。
【０１１４】
図１１（ａ），（ｂ）および（ｃ）は、図４を用いて説明した光ヘッド装置に適用されるコイルの他の一例を説明する概略図である。
【０１１５】
図１１（ａ），１１（ｂ）に示されるように、シートＦ，Ｔは、所定の方向の電流が流れるよう、所定の位置に配置される複数のコイルが形成される。
【０１１６】
図１１（ａ）に示されるように、シートＦの所定の位置には、紙面において横方向の電流の流れが形成されるように、プリントコイルＦ１，Ｆ２，Ｆ３およびＦ４が配置される。コイルＦ１，Ｆ２，Ｆ３およびＦ４は、同じ方向を有する渦巻き形状を有し、例えば、外周から内周に向かって左回りに形成される。Ｆ３は、Ｆ４と一端で接続される。
【０１１７】
コイルＦが点線１１Ｘで折り畳まれる。折り畳まれた状態で、外力が加わることにより、コイルＦ１とＦ４、およびＦ２とＦ３が、接触する。よって、それぞれのコイルは、中央で接続される。
【０１１８】
入出力端子であるコイルＦ１，Ｆ２，の一端に、所定の電流が供給されると、コイルＦ１，Ｆ４，Ｆ３，Ｆ２の順に、あるいはその逆順に、導通する。なお、接触する部分においては、同じ方向に電流が流れる。
【０１１９】
図１１（ｂ）に示されるように、シートＴの所定の位置には、紙面において縦方向の電流の流れが形成されるように、プリントコイルＴ１，Ｔ２，Ｔ３およびＴ４が配置される。コイルＴ１，Ｔ２，Ｔ３およびＴ４は、同じ方向を有する渦巻き形状を有し、例えば、外周から内周に向かって左回りに形成される。Ｔ１は、Ｔ４と一端で接続される。
【０１２０】
コイルＦが点線１１Ｙで折り畳まれ、コイルＴ１とＴ４、およびＴ２とＴ３が接触する。よって、それぞれのコイルは、中央で接続される。
【０１２１】
入出力端子であるコイルＴ１，Ｔ２，の一端に、所定の電流が供給されると、コイルＴ１，Ｔ４，Ｔ３，Ｔ２の順に、あるいはその逆順に、導通する。なお、接触する部分においては、同じ方向に電流が流れる。
【０１２２】
図１１（ｃ）は、シートＦ，Ｔの組み合わせを説明する概略図である。
【０１２３】
図１１（ｃ）に示されるように、折り畳み可能なシートＣ１，Ｃ２およびＣ３が所定の位置に配置される。シートＣ１，Ｃ２およびＣ３としては、図１１（ａ），１１（ｂ）に示されるようなコイルパターンを有するシートが利用できる。シートＣ１，Ｃ２およびＣ３は、所定の配置で重ね合わされる。なお、シートＣ１，Ｃ２およびＣ３は、一体的に形成されることができる。よって、図１１（ｃ）に示されるように、折り畳まれることにより、複数のフラットコイルが積層されるコイル体が形成される。
【０１２４】
例えば、Ｃ１，Ｃ３として、シートＦが、Ｃ２としてシートＴが適用される。また、シートＣ１は、複数のシートＦが積層されたコイルが適用可能である。たとえば、２枚のシートＦが積層される場合、一方のコイルＦ１，Ｆ２と、他方のＦ４，Ｆ３がそれぞれ接触するように、重ね合わされる。一方のＦ１と、他方のＦ２とが接続される。
【０１２５】
なお、図１１（ｃ）に示されるＣ２は、上部が他のシートに比べて幅Ｈを有して大きく形成される。このため、Ｃ１−Ｃ３の入出力端子を容易に形成することができる。なお、Ｃ２は、他のシートと同じ大きさであってもよい。
【０１２６】
次に、図１２−２０を用いて、図４を用いて説明した光ヘッド装置に適用されるコイルの他の一例を説明する概略図である。
【０１２７】
図１２（ａ），１２（ｂ），１２（ｃ）および１２（ｄ）は、本実施の形態に適用される、フラットコイルのパターンを示す平面図である。図１３（ａ），１３（ｂ），１３（ｃ）および１３（ｄ）は、図１２に示されるパターンが形成されるシートの組み合わせの例を説明する概略図である。図１４−１９は、図１３に示されるコイルの接触を説明する概略図である。また、図１４−１８には、図１３（ａ），１３（ｂ）および１３（ｃ）の紙面におけて、左側から見たコイルの配置を透視的に示す。なお、図１９は、１３（ｄ）の紙面におけて、下側から見たコイルの配置を透視的に示す
図１２（ａ）および１２（ｂ）に示されるように、シート３１０，３２０は、シートごとに、それぞれ同じ方向を有する渦巻き形状のコイルを有する。
【０１２８】
シート３１０には、所定の位置に、外周から内周に向かって右回りの渦巻き形状のコイル３１１，３１２が形成される。シート３２０には、外周から内周に向かって左回りの渦巻き形状のコイル３２１，３２２が形成される。なお、コイル３２１と３２２は、シート３１０と３２０とが接触した際、コイル３１１，３１２と、後に説明するように、中央あるいは一端で接触が可能な位置に配置できる。
【０１２９】
図１２（ｃ）および１２（ｄ）に示されるように、シート３３０，３４０は、シートごとに、それぞれ同じ方向を有する渦巻き形状のコイルを有する。
【０１３０】
シート３３０には、所定の位置に、外周から内周に向かって右回りの渦巻き形状のコイル３３１，３３２が形成される。また、シート３４０は、外周から内周に向かって左回りの渦巻き形状のコイル３４１，３４２が形成される。コイル３３１と３３２，およびコイル３４１と３４２は、それぞれ一端で接続されている。
【０１３１】
なお、コイル３１０，３２０と同様、コイル３４１と３４２は、シート３３０と３４０とが接触した際、コイル３３１，３３２と、後に説明するように、中央で接触が可能な位置に配置できる。この配置により、シート３１０−３４０等が重ね合わされる際、任意のコイルは中央部（スルーホール）を用いて整合可能であるため、所定の配置で接触できる。
【０１３２】
なお、後に説明される便宜上、図１２（ａ），１２（ｂ），１２（ｃ）および１２（ｄ）に示されるコイルパターンを、それぞれパターンＡ，Ｂ，ＣおよびＤとする。
【０１３３】
図１３（ａ）および図１４を用いて、図１２（ａ）および１２（ｂ）に示されるパターンを有するコイルの一例を説明する。
【０１３４】
図１３（ａ）および図１４に示されるように、コイル体３５０は、面３５１，３５２を有するシートと、面３５３，３５４を有するシートが積層されるコイルである。
【０１３５】
なお、面３５２と面３５３は、図１３（ａ）に示されるように、向かい合って配置される。
【０１３６】
図１４に示されるように、面３５１には、パターンＢが、面３５２には、パターンＡが形成される。面３５２に配置されるコイル３５２Ｍ，３５２Ｎは、面３５１のコイル３５１Ｍ，３５１Ｎと、それぞれ中央で接続される。
【０１３７】
また、面３５３には、パターンＢが、面３５４には、パターンＡが形成される。面３５４に配置されるコイル３５４Ｍ，３５４Ｎは、面３５３に配置されるコイル３５３Ｍ，３５３Ｎと、それぞれ中央で接続される。
【０１３８】
シート３５０は、両面が絶縁された面３５２と面３５３が向かい合うように、点線３５Ｘで折り畳むことができる。また、所定の方法で接着されてもよい。
【０１３９】
従って、コイル３５１Ｍと３５２Ｍ、コイル３５１Ｎと３５２Ｎ、コイル３５３Ｍと３５４Ｍ、コイル３５３Ｎと３５４Ｎを含むコイル体が形成される。
【０１４０】
また、この構成のコイルを有するシートの積層としては、他の例の配線を有するコイル体が考えられる。例えば、３５１Ｍと３５１Ｎの一端を、３５４Ｍと３５４Ｎの一端を、それぞれが接続されるコイル体である。３５２Ｍと３５３Ｎの一端に１の電流（例えばプラスの電流）が、３５２Ｎと３５３Ｍの一端に２の電流（例えばマイナスの電流）が、供給される。この構成により、接触する面において、同じ方向の電流が流れる。
【０１４１】
図１３（ｂ）および図１５を用いて、図１２（ａ），１２（ｂ），１２（ｃ）および１２（ｄ）に示されるパターンを有するコイルの一例を説明する。
【０１４２】
図１３（ｂ）および図１５に示されるように、コイル体３６０は、面３６１，３６２を有するシートと、面３６３，３６４を有するシートが積層されるコイルである。
【０１４３】
なお、面３６２と面３６３は、図１３（ｂ）に示されるように、向かい合って配置される。
【０１４４】
図１５に示されるように、面３６１には、パターンＣが、面３６２には、パターンＢが形成される。面３６１に配置されるコイル３６１Ｍ，３６１Ｎは、面３６２に配置されるコイル３６２Ｍ，３６２Ｎと、それぞれ中央で接続される。
【０１４５】
面３６３には、パターンＡが、面３６４には、パターンＤが形成される。面３６４に配置されるコイル３６４Ｍ，３６４Ｎは、中央で面３６３に配置されるコイルと、それぞれ中央で接続される。
【０１４６】
シート３６０は、両面が絶縁された面３６２と面３６３が向かい合うように、点線３６Ｘで折り畳むことができる。また、所定の方法で接着されてもよい。
【０１４７】
所定の電流、例えばコイル３６２Ｍ，３６３Ｎの一端にプラス電流、コイル３６２Ｎ，３６３Ｍにマイナス電流が供給されると、コイル３６２Ｍ，３６１Ｍ，３６１Ｎ，３６２Ｎの順に導通する。同時に、コイル３６３Ｎ，３６４Ｎ，３６４Ｍ，３６３Ｍの順に導通する。
【０１４８】
なお、積層された状態において、接触する部分には、同じ方向に電流が流れる。この構成により、コイルに電流が供給されたとき、形成される駆動力を打ち消し合う力を抑えることができる。
【０１４９】
次に、図１３（ｃ）および図１６を用いて、図１２（ａ），１２（ｂ），１２（ｃ）および１２（ｄ）に示されるパターンを有するコイルの他の一例を説明する。
【０１５０】
図１３（ｃ）および図１６に示されるように、コイル体３７０は、面３７１，３７２を有するシートと、面３７３，３７４を有するシートと、面３７５，３７５を有するシートが積層されるコイルである。
【０１５１】
なお、面３７２と面３７３、および面３７４と面３７３５は、図１３（ｃ）に示されるように、向かい合って配置される。
【０１５２】
図１６に示されるように、面３７１には、パターンＣが、面３７２には、パターンＤが形成される。面３７１に配置されるコイル３７１Ｎは、面３７２に配置されるコイル３７２Ｎと、中央で接続される。
【０１５３】
面３７３には、パターンＢが、面３７４には、パターンＡが形成される。面３７４に配置されるコイル３７４Ｍ，３７４Ｎは、中央で面３７３に配置されるコイル３７３Ｍ，３７３Ｎと、それぞれ中央で接続される。
【０１５４】
さらに、面３７５には、パターンＣが、面３７６には、パターンＤが形成される。面３７５に配置されるコイル３７５Ｎは、面３７６に配置される３７６Ｎと、中央で接続される。
【０１５５】
シート３７０は、両面が絶縁された面３７２と面３７３が向かい合うように、点線３７Ｘで折り畳むことができる。また、所定の方法で接着されてもよい。
【０１５６】
所定の電流、例えばコイル３７１Ｍ，３７５Ｍの中央、３７３Ｍ，３７４Ｎの一端にプラス電流、コイル３７２Ｍ，３７６Ｍの中央、３７３Ｎ，３７４Ｍの一端にマイナス電流が供給されると、それぞれ接続されるコイルにおいて導通される。なお、積層された状態において、接触する部分には、同じ方向に電流が流れる。
【０１５７】
また、この構成のコイルを有するシートの積層としては、他の例の配線を有するコイル体が考えられる。一例を以下に説明する。
【０１５８】
図１７に示されるように、面３７１に配置されるコイル３７１Ｍ，３７１Ｎは、面３７２に配置されるコイル３７２Ｍ，３７２Ｎと、それぞれ中央で接続される。
【０１５９】
また、面３７３に配置されるコイル３７３Ｍは、面３７２に配置される３７２Ｎと、中央で接続される。また、コイル３７３Ｎは、３７２Ｍと、中央で接続される。
【０１６０】
面３７５に配置されるコイル３７５Ｍは、面３７４に配置される３７４Ｎと、中央で接続される。また、コイル３７５Ｎは、３７４Ｍと、中央で接続される。
【０１６１】
面３７６に配置されるコイル３７６Ｍ，３７６Ｎは、中央で面３７５に配置されるコイルと接続される。
【０１６２】
所定の電流、例えばコイル３７３Ｍ，３７４Ｎの一端にプラス電流、コイル３７３Ｎ，３７４Ｍにマイナス電流が供給されると、それぞれ接続されるコイルにおいて導通される。なお、積層された状態において、接触する部分には、同じ方向に電流が流れる。
【０１６３】
次に、図１８を用いて、図１２（ａ），１２（ｂ），１２（ｃ）および１２（ｄ）に示される、いずれかのパターンを有するコイルの他の一例を説明する。
【０１６４】
図１８に示されるように、コイル体３８０は、面３８１，３８２を有するシートと、面３８３，３８４を有するシートと、面３８５，３８５を有するシートが積層されるコイル体３８０を説明する概略図である。なお、シートの接着は、図１３（ｃ）に示されるコイル体３７０と類似するため、符号の十の桁を差し替えて参照される。よって、コイル体３８０は、面３８２と面３８３、および面３８４と面３８５が所定の方法で接着可能である。
【０１６５】
面３８１には、パターンＣが、面３８２には、パターンＤが形成される。面３８１に配置されるコイル３８１Ｍ，３８１Ｎは、面３８２に配置されるコイル３８２Ｍ，３８２Ｎと、それぞれ中央で接続される。
【０１６６】
また、面３８３，３７４には、パターンＢが形成される。面３８３に配置されるコイル３８３Ｍは、面３８２に配置される３８２Ｎと、中央で接続される。また、コイル３８３Ｎは、３８２Ｍと、中央で接続される。
【０１６７】
面３８４に配置されるコイル３８４Ｍ，３８４Ｎは、一端で面３８３に配置されるコイル３８３Ｍ，３８３Ｎと、それぞれ接続される。
【０１６８】
さらに、面３８５には、パターンＤが、面３８６には、パターンＣが形成される。面３８５に配置されるコイル３８５Ｍは、面３８４に配置される３８４Ｎと、中央で接続される。また、コイル３８５Ｎは、３８４Ｍと、中央で接続される。
【０１６９】
面３８６に配置されるコイル３８６Ｍ，３８６Ｎは、中央で面３８５に配置されるコイル３８５Ｍ，３８５Ｎと接続される。
【０１７０】
所定の電流、例えばコイル３８３Ｍ，３８４Ｍの一端にプラス電流、コイル３８３Ｎ，３８４Ｎにマイナス電流が供給されると、それぞれ接続されるコイルにおいて導通される。なお、積層された状態において、接触する部分には、同じ方向に電流が流れる。
【０１７１】
次に、図１３（ｄ）および図１９を用いて、図１２（ａ）あるいは１２（ｂ）に示されるパターンを有するコイルの一例を説明する。
【０１７２】
図１３（ｄ）に示されるように、コイル体３９０は、面３９１を有するシートと、面３９１と向かい合う面のうち所定の位置に導通パット９３４が配置され、他の面３９２を有するシートと、面３９２と向かい合う面のうち所定の位置に導面パットが配置され、他の面３９３を有するシートが積層されるコイルである。
【０１７３】
図１９に示されるように、面３９１−３９３には、パターンＡが形成される。なお、パターンＢでもよい。
【０１７４】
面３９１に配置されるコイル３９１Ｍ，３９１Ｎは、両コイルの中央部と接する導通パット３９４により、導通できる。また、面３９２に配置される３９２Ｍ，３９２Ｎは、両コイルの中央部と接する導通パット３９５により、導通できる。
【０１７５】
シート３９０は、面３９２の裏面と面３９１、および、面３９２の裏面と面３９１面が向かい合うように、点線３９Ｘ、Ｙで、それぞれ折り畳まれる。なお、導通パットは、導性の薄いパットを用い、また、粘着性を有していてもよい。よって、折り畳まれた状態で、向かい合う面は、それぞれ接触する。
【０１７６】
図２０は、図４を用いて説明した光ヘッド装置に適用されるコイルの他の一例を説明する概略図である。
【０１７７】
図２０に示されるように、コイル体ＦＴは、所定の方向の電流が流れるよう、所定の位置に配置される複数のコイルが形成される。
【０１７８】
シートＦＴの所定の位置には、図２０に示されるように、紙面において横方向の電流の流れが形成されるように、プリントコイルＦ１１，Ｆ１２が、４分割されるシートＥＴのそれぞれに、横方向の電流の流れを形成可能に配置される。コイルＦ１１，Ｆ１２は、同じ方向を有する渦巻き形状を有し、例えば、外周から内周に向かって左回りに形成される。
【０１７９】
Ｆ１３，Ｆ１４は、点線２０Ｘで折り畳まれることにより、Ｆ１２，Ｆ１１と、中央で接触する位置に配置される。また、Ｆ１３およびＦ１４は、コイルＦ１１，Ｆ１２と同じ方向の渦巻き形状に形成される。
【０１８０】
また、シートＦＴには、図２０に示されるように、紙面において縦方向の電流の流れが形成されるように、プリントコイルＴ１１，Ｔ１２が、コイルＦ１１，Ｆ１２の上下に配置される。
【０１８１】
コイルＴ１１，Ｆ１２は、同じ方向を有する渦巻き形状を有し、例えば、外周から内周に向かって左回りに形成される。Ｔ１３，Ｔ１４は、点線２０Ｘで折り畳まれることにより、Ｔ１２，Ｔ１１と、中央で接触する位置に配置される。また、Ｔ１３およびＴ１４は、コイルＴ１１，Ｔ１２と同じ方向の渦巻き形状に形成される。
【０１８２】
コイルＦＴが点線２０Ｘで折り畳まれることにより、Ｔ１１とＴ１３、およびＴ１２とＴ１４が、中央で接続可能に接着される。また、Ｆ１１とＦ１３、およびＦ１２とＦ１４が、中央で接続可能に接着される。
【０１８３】
所定の電流、例えばコイルＦ１１，Ｔ１１の一端にプラス電流、コイルＦ１２，Ｔ１２にマイナス電流が供給されると、それぞれ接続されるコイルにおいて導通される。なお、積層された状態において、接触する部分には、同じ方向に電流が流れる。
【０１８４】
【発明の効果】
以上説明したように、この発明によれば、小型、薄型、軽量で巻き数の多いコイルを作成することができ、アクチュエータの感度が向上される。これにより、高倍速により動作可能で低消費電力の光ヘッド装置が得られる。
【０１８５】
また、本願発明によれば、積層された状態において、所定の電流が供給されると、接触する所定の部分に同じ方向に電流が流れる。
【図面の簡単な説明】
【図１】この発明の実施の形態である光ヘッド装置を含む光ディスク装置の一例を説明する斜視図。
【図２】光ヘッド装置の動作原理を説明する概略図。
【図３】図１および図２により説明した光ディスク装置の信号処理系の一例を説明する概略図。
【図４】図４を用いて説明した光ヘッド装置に適用されるコイルの一例を説明する概略図。
【図５】図４を用いて説明した光ヘッド装置に適用されるコイルの他の一例を説明する概略図。
【図６】図４を用いて説明した光ヘッド装置に適用されるコイルの他の一例を説明する概略図。
【図７】図４を用いて説明した光ヘッド装置に適用されるコイルの他の一例を説明する概略図。
【図８】図４を用いて説明した光ヘッド装置に適用されるコイルの他の一例を説明する概略図。
【図９】図４を用いて説明した光ヘッド装置に適用されるコイルの他の一例を説明する概略図。
【図１０】図４を用いて説明した光ヘッド装置に適用されるコイルの他の一例を説明する概略図。
【図１１】図４を用いて説明した光ヘッド装置に適用されるコイルの他の一例を説明する概略図の他の一例を説明する概略図。
【図１２】図４を用いて説明した光ヘッド装置に適用されるコイルに形成されるコイルパターンを示す平面図。
【図１３】図１２に示されるパターンが形成されるシートの例を説明する概略図。
【図１４】図１３（ａ）に示されるシートに配置されるコイル間の接触を説明する概略図。
【図１５】図１３（ｂ）に示されるシートに配置されるコイル間の接触を説明する概略図。
【図１６】図１３（ｃ）に示されるシートに配置されるコイル間の接触を説明する概略図。
【図１７】図１６に示されるコイル体の変形例を説明する概略図。
【図１８】図１２に示されるいずれかのパターンを有するコイルの他の一例を説明する概略図。
【図１９】図１３（ｄ）に示されるシートに配置されるコイル間の接触を説明する概略図。
【図２０】図４を用いて説明した光ヘッド装置に適用されるコイルの他の一例を説明する概略図。
【符号の説明】
１０１・・・光ディスク装置、１２１，３０１・・・光ヘッド装置、１２２・・・対物レンズ、３１０・・・アクチュエータ、４００，５０２，６００，７００，８００，９００，３５０−３８０・・・コイル体。
【図１】
2004265518.tif 000003
【図２】
2004265518.tif 000004
【図３】
2004265518.tif 000005
【図４】
2004265518.tif 000006
【図５】
2004265518.tif 000007
【図６】
2004265518.tif 000008
【図７】
2004265518.tif 000009
【図８】
2004265518.tif 000010
【図９】
2004265518.tif 000011
【図１０】
2004265518.tif 000012
【図１１】
2004265518.tif 000013
【図１２】
2004265518.tif 000014
【図１３】
2004265518.tif 000015
【図１４】
2004265518.tif 000016
【図１５】
2004265518.tif 000017
【図１６】
2004265518.tif 000018
【図１７】
2004265518.tif 000019
【図１８】
2004265518.tif 000020
【図１９】
2004265518.tif 000021
【図２０】
2004265518.tif 000022